(57)【要約】【課題】人力で走行し、推進装置を必要としない小型のホバークラフトを提供する。【解決手段】機体の平面形態を逆Ｕ形のように後方を開放することで、操縦者が浮上力中心と操縦者の体重を含めた重心が一致したエアークッション効果の安定した状態で乗機し、人力で推進力を得るための片足の動作が可能な、推進装置が不要で従来よりも小型かつ安価なホバークラフトを特徴とする。【選択図】図１
2020132128.tif 000002
【特許請求の範囲】
【請求項１】
機体の平面形態が逆Ｕ形あるいは複数の独立した機体を連結し逆Ｖ字形やそれに類する形態で操縦者が重心付近に乗機し、操縦者は分岐部分が後方となるように位置して片足で乗機したまま、もう一方の足で地面を蹴り出すことで推進し、人力を利用して走行するホバークラフト。
【請求項２】
エアークッション効果を安定させるために、浮上用送風ユニットを逆Ｕ形の機体の分岐部分と前部の円弧状をなす形状の中央または中心線上に設置した請求項１に記載の人力を利用して走行するホバークラフト
【発明の詳細な説明】
【技術分野】
【０００１】  この発明は人力を利用して走行するホバークラフトに関するものである。
【背景技術】
【０００２】  ホバークラフトはエアークッション効果により、極めて少ない抵抗で走行ができる。しかし走行させるために、エンジンや電気モーターなどを動力源としてプロペラやファンを駆動させて得る推力を利用した推進装置を必要とした。
【発明の概要】
【発明が解決しようとする課題】
【０００３】  旅客や貨物の輸送に供する大型のホバークラフトのほかに、趣味や娯楽のために個人で利用する小型のホバークラフトがある。通常は操縦者が機体の中央に着座し、推進装置を使用して走行する。
そのホバークラフトは比較的小型のため、エアークッション効果により浮上していれば、推進装置を使用しなくとも外部から人力で押して進むことは容易である。
従来の矩形や小判型といったホバークラフトの形態では、操縦者が乗機したまま人力で推進させようとすると、足や手の動作によって推進力を得るため、操縦者は機体の左右や後方に位置することになる。そのため体重の移動により重心が偏り、エアークッション効果を得るためのスカートが地面と接する荷重に不均一が生じる。荷重の低い部分からスカート内部の空気が漏出しエアークッション効果が損なわれたり、スカートの膨らみの不均衡により機体が傾き、その結果機体下面が地面と接触したりするなどして、実施は困難であった。【０００４】  また従来のような推進装置を機体に設置すると、推進装置の重量により機体が大きくなることや価格が高くなるなどの欠点があった。
【課題を解決するための手段】
【０００５】  機体の平面形態を逆Ｕ形のように後方を開放し、操縦者は浮上力中心と操縦者の体重を含めた重心が一致したエアークッション効果の安定した状態で立って乗機し、かつ片足で推進力を得る動作ができるように構成する。
【発明の効果】
【０００６】本発明の機体の形態では、操縦者が乗機したまま片足で地面を蹴り出す動作で走行することが容易に可能となる。
また足の操作で方向転換、停止なども可能である。水上を走行する場合でも足ひれ等の装備で同様の効果を得ることができる。【０００７】さらに推進装置が不要になることで、従来よりも小型かつ安価なホバークラフトを構成することができる。
【図面の簡単な説明】
【０００８】
【図１】本発明に係るホバークラフトに操縦者が乗機した状態の斜視図
【図２】本発明に係る第１の実施例の概要を示した平面図
【図３】本発明に係る第２の実施例のその１の概要を示した平面図
【図４】本発明に係る第２の実施例のその２の概要を示した平面図
【図５】本発明に係るスカートの実施例を示した底面図
【図６】本発明に係るスカートのその他の実施例を示した底面図
【図７】スカート内の空気の作用によるエアークッション効果の説明図
【発明を実施するための形態】
【０００９】  実施例１は図１に示すように、第１の実施例の機体の平面形態では逆Ｕ形の分岐部分が後方になり、操縦者１は機体２の浮上力中心位置付近に立って乗機する。この付近とは操縦者１の体重を含めた機体２の重心がエアークッション効果を損なわない範囲である。
【００１０】さらに第２の実施例の機体の形態として図３と図４に示すように、個々にスカートや浮上用送風ユニット４を有する独立機体２ｂを支持体６で連結して、逆Ｖ字形やコの字型あるいはそれに類する形態に構成した場合もある。
【００１１】  機体底部にはエアークッション効果を得るためのスカートが設置されている。このスカートはビニールシートやゴム布といった、空気を通さない柔軟な膜を素材とし、機体の底部の周縁部に設置されている。第１の実施例の機体の場合、図５に示すように機体全体にスカート３ａを設置する場合と、図６のように複数の独立したスカート３ｂを設置する場合がある。
いずれの実施例の場合も操縦者が足で行う動作を妨げないように、操縦者の後方部分の間隔を確保した形状とする。
機体上面にはスカート３に空気を供給する、ファンやブロアといった浮上用送風ユニット４を設置する。浮上用送風ユニット４の動力源はエンジンや電気モーターを使用する。
図７のように浮上用送風ユニット４から送られた空気はスカート３を膨らませた後にスカート通風孔７を通ってスカート３の外部へ出ていく。この際スカート３と地面との間に空気の流出による隙間が生じ、いわば空気の膜の上に乗った状態になる。このエアークッション効果の作用で、ほとんど摩擦力を生じない移動が可能になる。
【００１２】実施例１の形態における逆Ｕ形の機体は、従来の矩形や小判型といった機体に比べてスカートの形状が複雑でかつ面積に対してスカート通風孔７の数や外周長の割合が大きくなるため、スカート内部の空気の圧力を均一化しにくい。そのため浮上用送風ユニット４をスカート３に複数設置することで、逆Ｕ形のスカート内の圧力を均一化してエアークッション効果を安定させる。浮上用送風ユニット４は機体の分岐部分と前部の円弧状をなす形状の中央または中心線上に設置して、スカート内部に均等に送風できるようにする。
【００１３】  機体を走行させる場合は、片足で立って乗機したまま、もう一方の足で地面を蹴り出すことで前進する。機体が走行状態になればホバークラフトは極めて地面との抵抗が少ないので、停止する前にこの蹴り出す動作を繰り返すことで走行状態は維持される。
なお走行時は片足の動作が不要になるため両足で乗機することができる。
機体を停止させる場合は操縦者が足を地面に押しつける。方向転換させる場合は曲がる方向に対して左右中心を軸として反対側を蹴り出すことで可能になる。
操縦者の上半身を安定させるためのフレーム５は、スケートボードのように不要にすることができる。
【符号の説明】
【００１４】１    操縦者
２    機体
２ｂ  独立機体
３    スカート
３ａ  全体スカート
３ｂ  独立スカート
４    浮上用送風ユニット
５    フレーム
６    連結支持体
７    スカート通風孔
【図１】
2020132128.tif 000003
【図２】
2020132128.tif 000004
【図３】
2020132128.tif 000005
【図４】
2020132128.tif 000006
【図５】
2020132128.tif 000007
【図６】
2020132128.tif 000008
【図７】
2020132128.tif 000009